(57)【要約】【課題】  撮影機会を逃さず、かつユーザの意図に沿った高画質な画像を撮像することが可能な操作性の高い撮像装置を提供する。【解決手段】  シャッタレリーズボタンが半押しされると（タイミングＴ１１）、撮像時に設定すべき最適な撮像条件を自動判定する自動調整処理を開始する。また、パターン１のように、その後に半押し状態が継続し、かつ自動調整処理により最適な撮像条件が判定された後のタイミングＴ１４でシャッタレリーズボタンが全押しされた場合には、自動調整処理で最適と判定された撮像条件を適用した撮像画像が取り込まれ、記録される。また、パターン２のように、自動調整処理の完了前のタイミングＴ１２でシャッタレリーズボタンが全押しされた場合や、パターン３のように、タイミングＴ１１において半押しを経ずに全押しされた場合には、異なる撮像条件を順次適用した複数の撮像画像を連続的に取り込むオートブラケット撮影が実行される。【選択図】  図２
2006050336.tif 000002
【特許請求の範囲】
【請求項１】
固体撮像素子を用いて画像を撮像する撮像装置において、
ユーザの入力操作に応じてそれぞれ異なる入力信号を受信する第１および第２の入力受付手段と、
撮像時に設定すべき最適な撮像条件を判定する撮像条件判定手段と、
前記第１の入力受付手段による入力信号の受信時に前記撮像条件判定手段による判定動作を開始させ、当該入力信号が継続して受信され、かつ前記判定動作により最適な前記撮像条件が判定された後に、前記第２の入力受付手段が入力信号を受信した場合には、最適と判定された前記撮像条件を適用した撮像画像を取り込み、その他の条件で前記第２の入力受付手段が入力信号を受信した場合には、異なる前記撮像条件を順次適用した複数の撮像画像を連続的に取り込むように制御する撮像制御手段と、
を有することを特徴とする撮像装置。
【請求項２】
前記第２の入力受付手段は、シャッタレリーズボタンが全押しされたときに入力信号を受信し、
前記第１の入力受付手段は、前記シャッタレリーズボタンが全押し時より浅い所定の位置まで押下されたときに入力信号を受信し、前記所定の位置までの押下状態が保持されている間は入力信号を継続して受信することを特徴とする請求項１記載の撮像装置。
【請求項３】
前記第１の入力受付手段によって入力信号が継続して受信されている間に前記撮像条件判定手段により最適な前記撮像条件が判定されたときに、前記判定動作が完了したことを表示手段または音声出力手段の少なくとも一つによりユーザに通知する判定完了通知手段をさらに有することを特徴とする請求項１記載の撮像装置。
【請求項４】
前記撮像制御手段は、前記その他の条件で前記第２の入力受付手段が入力信号を受信した場合に、異なる前記撮像条件により取り込んだ複数の撮像画像をすべて記録媒体に記録させることを特徴とする請求項１記載の撮像装置。
【請求項５】
前記撮像制御手段は、前記その他の条件で前記第２の入力受付手段が入力信号を受信した場合に、異なる前記撮像条件により取り込んだ複数の撮像画像を基にして前記撮像条件判定手段による前記判定動作を実行させ、最適と判定された前記撮像条件が適用された撮像画像のみを選択して記録媒体に記録させることを特徴とする請求項１記載の撮像装置。
【請求項６】
前記撮像条件として、露光量、合焦位置、ストロボ光量、ホワイトバランス調整量の少なくとも一つの制御値を適用したことを特徴とする請求項１記載の撮像装置。
【請求項７】
前記撮像条件として前記合焦位置の制御値を適用した場合、前記撮像条件判定手段は、フォーカスレンズを複数の異なる位置に移動させてその都度撮像画像を取り込み、取り込んだ撮像画像を基に最適な前記フォーカスレンズの位置を判定し、前記判定動作が完了する前に前記第２の入力受付手段が入力信号を受信したときは、その時点から再度前記フォーカスレンズを前記複数の異なる位置のすべてに移動させて撮像画像を取り込むように制御することを特徴とする請求項６記載の撮像装置。
【請求項８】
固体撮像素子を用いた画像の撮像動作を制御するための撮像制御方法において、
第１の入力受付手段がユーザの入力操作に応じて入力信号を受信したときに、撮像条件判定手段が、撮像時に設定すべき最適な撮像条件を判定する判定動作を開始する第１のステップと、
前記第１のステップから前記第１の入力受付手段が入力信号を継続して受信し、かつ前記判定動作により最適な前記撮像条件が判定された後に、第２の入力受付手段が前記第１の入力受付手段とは異なる入力信号をユーザの入力操作に応じて受信した場合に、撮像制御手段が、前記第１のステップで最適と判定された前記撮像条件を適用した撮像画像を取り込む第２のステップと、
前記第２のステップとは異なる他の条件で前記第２の入力受付手段が入力信号を受信した場合に、前記撮像制御手段が、異なる前記撮像条件を順次適用した複数の撮像画像を連続的に取り込む第３のステップと、
を含むことを特徴とする撮像制御方法。
【請求項９】
前記第２の入力受付手段は、シャッタレリーズボタンが全押しされたときに入力信号を受信し、
前記第１の入力受付手段は、前記シャッタレリーズボタンが全押し時より浅い所定の位置まで押下されたときに入力信号を受信し、前記所定の位置までの押下状態が保持されている間は入力信号を継続して受信するようにしたことを特徴とする請求項８記載の撮像制御方法。
【請求項１０】
前記第２のステップでは、前記判定動作により最適な前記撮像条件が判定されたときに、前記判定動作が完了したことを表示手段または音声出力手段の少なくとも一つによりユーザに通知することを特徴とする請求項８記載の撮像制御方法。
【請求項１１】
前記第２のステップでは、前記撮像制御手段は、前記他の条件で前記第２の入力受付手段が入力信号を受信した場合に、異なる前記撮像条件により取り込んだ複数の撮像画像をすべて記録媒体に記録させることを特徴とする請求項８記載の撮像制御方法。
【請求項１２】
前記第２のステップでは、前記撮像制御手段は、前記他の条件で前記第２の入力受付手段が入力信号を受信した場合に、異なる前記撮像条件により取り込んだ複数の撮像画像を基にして前記撮像条件判定手段による前記判定動作を実行させ、最適と判定された前記撮像条件が適用された撮像画像のみを選択して記録媒体に記録させることを特徴とする請求項８記載の撮像制御方法。
【請求項１３】
固体撮像素子を用いた画像の撮像動作の制御処理をコンピュータに実行させる撮像制御プログラムにおいて、
ユーザの入力操作に応じてそれぞれ異なる入力信号を受信する第１および第２の入力受付手段、
撮像時に設定すべき最適な撮像条件を判定する撮像条件判定手段、
前記第１の入力受付手段による入力信号の受信時に前記撮像条件判定手段による判定動作を開始させ、当該入力信号が継続して受信され、かつ前記判定動作により最適な前記撮像条件が判定された後に、前記第２の入力受付手段が入力信号を受信した場合には、最適と判定された前記撮像条件を適用した撮像画像を取り込み、その他の条件で前記第２の入力受付手段が入力信号を受信した場合には、異なる前記撮像条件を順次適用した複数の撮像画像を連続的に取り込むように制御する撮像制御手段、
として前記コンピュータを機能させることを特徴とする撮像制御プログラム。
【発明の詳細な説明】
【技術分野】
【０００１】
本発明は、固体撮像素子を用いて画像を撮像する撮像装置、および撮像制御方法およびプログラムに関し、特に、異なる撮像条件を順次適用した複数の撮像画像を連続的に取り込むオートブラケット機能と、最適な撮像条件を自動的に判定して撮像を行う撮像条件の自動調整機能とを備えた撮像装置、撮像制御方法およびプログラムに関する。
【背景技術】
【０００２】
固体撮像素子を用いて画像を撮像するデジタルスチルカメラなどの撮像装置では、撮像時に焦点合わせや明るさ、色合いなどが適切となるように自動的に調整する機能を持っているものが多い。ＡＦ（Auto Focus）やＡＥ（Auto Exposure）、ＡＷＢ（Auto White Balance）などは代表的な自動調整機能であり、また、被写体が暗いときにのみ自動的にストロボを発光する機能なども一般的に搭載されている。
【０００３】
そして、従来の撮像装置には、半押しと全押しの２つの状態をとることができるシャッタレリーズボタンを用い、撮影者がシャッタレリーズボタンを半押ししたときに、上記自動調整機能によって制御値を求める動作を実行させるものがある。シャッタレリーズボタンを半押しした状態とすることは、「ハーフレリーズ」などと呼ばれる。このような撮像装置では、画像の撮像の際に、例えば以下のような手順がとられるものが多い。なお、ここではＡＦ機能を例に挙げる。
【０００４】
まずシャッタレリーズボタンを半押しするとＡＦ機能が作動し、フォーカスレンズが移動するとともに撮像画像を連続的に取り込み、取り込んだ信号から合焦度の評価値を求める。評価値が最大となるレンズ位置が合焦位置であり、その位置が求められてフォーカスレンズが移動すると、画面表示や音などで自動調整の完了を通知する。すると、ユーザがシャッタレリーズボタンを全押しすることで、焦点の合った撮像画像を記録媒体に記録することが可能となる。このような撮像装置では、ハーフレリーズ状態をとらずにシャッタレリーズボタンを即座に全押しした場合には、上記の自動調整機能をあらためて動作させずに、そのときの撮影条件のままで撮像信号を取り込み、記録媒体に記録することになる。あるいは、全押ししても、自動調整機能により最適な制御値が求められるまで、撮像画像が記録媒体に記録されないようにしたものもある。
【０００５】
ここで、上記のようにハーフレリーズ時に自動調整機能を作動させると、最適な撮影条件が求められるまでにはある程度の時間を要するため、撮影機会を逃してしまうという問題がある。また、自動調整技術の性能限界から、撮像装置側で最適とされた制御値が、撮影者の意図するものと異なってしまう場合があるという問題もある。従って、自動調整の高速化およびその調整性能の向上が、従来から要求されていた。
【０００６】
これらの問題を解決するために、シャッタレリーズボタンを１回押下したときに、撮影条件の異なる複数の画像を短時間に連続的に記録する、「オートブラケット」と呼ばれる機能を持つ撮像装置があった。オートブラケット機能として一般的なものとしては、ＡＥ機能を利用して露出調整量を変化させて撮像を行うものが知られている。このような機能により、ユーザは複数記録された画像を後から取捨選択できるので、撮影機会を逃すことなく、意図に沿った画像を得ることが可能であったが、その反面、記録媒体が無駄に利用されるという欠点があった。これに対して、例えばオートブラケットによりフォーカスレンズ位置を変えながら撮像した画像のそれぞれについて合焦評価値を算出し、その値が最も高い画像を自動選択して記録媒体に記録するようにしたデジタルカメラがあった（例えば、特許文献１参照）。
【０００７】
また、オートブラケット機能を持つ撮像装置では、オートブラケットによる撮像モードと、１枚ずつを撮像する通常の撮像モードを切り替え可能となっている。さらに、オートブラケット機能の作動時に複数種類の調整値を変化させたり、その組み合わせをユーザ操作に応じて設定可能とすることも考えられている。このような機能によって、よりユーザの意図に沿った画像を撮像することが可能となるが、その分ユーザの操作手順が増加して、操作性が悪化するという問題があった。これに対して、撮像画像を基にオートブラケット撮影の必要があるか否かを自動的に判別し、必要な場合にはオートブラケット撮影を行って撮影条件を変えた複数の画像を記録媒体に記録することで、操作性を向上させた電子スチルカメラがあった（例えば、特許文献２参照）。
【特許文献１】特開２００４−１３５０２９号公報（段落番号〔００４７〕〜〔００６５〕、図３）
【特許文献２】特開２００１−８０８７号公報（段落番号〔００２０〕〜〔００３４〕、図１）
【発明の開示】
【発明が解決しようとする課題】
【０００８】
上述した通り、特許文献１に開示された技術のように、オートブラケットによる撮像画像のうち、撮影条件の最適なものを自動選択して記録媒体に記録することで、記録媒体を有効に利用できるとともに、撮影機会を逃さずにユーザにとって好ましい画像が得られる確率が高められる。また、オートブラケット時の撮影条件を細かく調整可能にすることで、ユーザの意図を反映しやすくなるし、上記の特許文献２に開示された技術のように、オートブラケット機能の要否を自動判別することで、さらにユーザの操作性を高めることができる。
【０００９】
しかし、記録媒体に残す画像を自動選択するための技術や、オートブラケット機能の要否を自動判別する技術は、基本的には上述したハーフレリーズ時における自動調整技術と同様のものであるため、ユーザの意図に合致しない画像が記録されてしまう可能性は残る。オートブラケット機能は、複数記録された画像の中からユーザにとって好ましいものをユーザ自身が撮像後に判別できるところが利点であって、上記の自動選別や自動判別が行われるとその利点が失われてしまう場合がある。
【００１０】
一方、オートブラケット機能を利用する場合には、通常、キー操作などにより動作モードの変更を行う必要がある。大多数のユーザは、通常の使用時には自動調整機能を作動させた動作モードで撮像を行い、必要に応じて動作モードを切り替え、オートブラケット機能を利用している。しかし、このような使用方法では、動作モードの切り替えを行う間に撮影機会を逃すということも多い。だからといって、オートブラケット機能を常時作動させていると、自動調整機能により適切な画像が得られる場合にも多くの画像が記録されてしまい、メモリ容量が無駄になるとともに、必要な画像を選別する手間も生じる。すなわち、従来の撮像装置では、ユーザが必要なときにオートブラケット機能を瞬時に利用できるだけの操作性が考えられておらず、オートブラケット機能による利点が生かされていなかったことが問題であった。
【００１１】
本発明はこのような点に鑑みてなされたものであり、撮影機会を逃さず、かつユーザの意図に沿った高画質な画像を撮像することが可能な操作性の高い撮像装置を提供することを目的とする。
【００１２】
また、本発明の他の目的は、簡単な操作により、撮影機会を逃さず、かつユーザの意図に沿った高画質な画像を撮像することが可能とされた撮像制御方法を提供することである。
【００１３】
さらに、本発明の他の目的は、簡単な操作により、撮影機会を逃さず、かつユーザの意図に沿った高画質な画像を撮像することが可能とされた撮像制御プログラムを提供することである。
【課題を解決するための手段】
【００１４】
本発明では上記課題を解決するために、固体撮像素子を用いて画像を撮像する撮像装置において、ユーザの入力操作に応じてそれぞれ異なる入力信号を受信する第１および第２の入力受付手段と、撮像時に設定すべき最適な撮像条件を判定する撮像条件判定手段と、前記第１の入力受付手段による入力信号の受信時に前記撮像条件判定手段による判定動作を開始させ、当該入力信号が継続して受信され、かつ前記判定動作により最適な前記撮像条件が判定された後に、前記第２の入力受付手段が入力信号を受信した場合には、最適と判定された前記撮像条件を適用した撮像画像を取り込み、その他の条件で前記第２の入力受付手段が入力信号を受信した場合には、異なる前記撮像条件を順次適用した複数の撮像画像を連続的に取り込むように制御する撮像制御手段とを有することを特徴とする撮像装置が提供される。
【００１５】
このような撮像装置では、第１の入力受付手段による入力信号の受信時に、撮像条件判定手段による撮像条件の判定動作が開始され、その入力信号が継続して受信されている間は続行される。そして、この判定動作により最適な撮影条件が判定された後に、第２の入力受付手段により入力信号が受信されると、その最適な撮影条件を適用した撮像画像が取り込まれる。一方、これ以外の条件で第２の入力受付手段により入力信号が受信された場合、例えば、上記判定動作が完了する前にその入力信号が受信された場合、あるいは第１の入力受付手段により入力信号が受信されることなく第２の入力受付手段により入力信号が受信された場合には、異なる撮像条件を順次適用した複数の撮像画像が連続的に取り込まれる。
【００１６】
また、ユーザの入力操作のためのシャッタレリーズボタンを用いて、第２の入力受付手段は、シャッタレリーズボタンが全押しされたときに入力信号を受信し、第１の入力受付手段は、シャッタレリーズボタンが全押し時より浅い所定の位置まで押下されたときに入力信号を受信し、その所定の位置までの押下状態が保持されている間は入力信号を継続して受信するようにしてもよい。
【００１７】
また、本発明では、固体撮像素子を用いた画像の撮像動作を制御するための撮像制御方法において、第１の入力受付手段がユーザの入力操作に応じて入力信号を受信したときに、撮像条件判定手段が、撮像時に設定すべき最適な撮像条件を判定する判定動作を開始する第１のステップと、前記第１のステップから前記第１の入力受付手段が入力信号を継続して受信し、かつ前記判定動作により最適な前記撮像条件が判定された後に、第２の入力受付手段が前記第１の入力受付手段とは異なる入力信号をユーザの入力操作に応じて受信した場合に、撮像制御手段が、前記第１のステップで最適と判定された前記撮像条件を適用した撮像画像を取り込む第２のステップと、前記第２のステップとは異なる他の条件で前記第２の入力受付手段が入力信号を受信した場合に、前記撮像制御手段が、異なる前記撮像条件を順次適用した複数の撮像画像を連続的に取り込む第３のステップとを含むことを特徴とする撮像制御方法が提供される。
【００１８】
このような撮像制御方法では、第１のステップにおいて、第１の入力受付手段による入力信号の受信時に、撮像条件判定手段による撮像条件の判定動作が開始され、その入力信号が継続して受信されている間は続行される。そして、第２のステップでは、上記判定動作により最適な撮影条件が判定された後に、第２の入力受付手段により入力信号が受信されると、その最適な撮影条件を適用した撮像画像が取り込まれる。一方、第３のステップでは、これ以外の条件で第２の入力受付手段により入力信号が受信された場合、例えば、上記判定動作が完了する前にその入力信号が受信された場合、あるいは第１の入力受付手段により入力信号が受信されることなく第２の入力受付手段により入力信号が受信された場合には、異なる撮像条件を順次適用した複数の撮像画像が連続的に取り込まれる。
【００１９】
また、ユーザの入力操作のためのシャッタレリーズボタンを用いて、第２の入力受付手段は、シャッタレリーズボタンが全押しされたときに入力信号を受信し、第１の入力受付手段は、シャッタレリーズボタンが全押し時より浅い所定の位置まで押下されたときに入力信号を受信し、その所定の位置までの押下状態が保持されている間は入力信号を継続して受信するようにしてもよい。
【発明の効果】
【００２０】
本発明によれば、例えばシャッタレリーズボタンの半押しおよび全押しの操作などを用いて、第１および第２の入力受付手段へ入力信号を与えるタイミングをユーザの入力操作に応じて調整することで、撮像条件判定手段により判定された最適な撮像条件を適用した撮像画像を取り込む動作モードと、撮像条件を変えた複数の撮像画像をすべて取り込む動作モードとを切り替えることができる。従って、前者の動作モードでは意図通りの撮像画像が得られないとユーザが判断したときに、動作モードの切り替え操作などを行わずに即座に後者の動作モードでの撮像を実行して、撮像条件の異なる複数の撮像画像を取り込むことができるので、撮像機会を逃さず、かつユーザにとってより適切な画質の撮像画像を得ることが可能になる。
【発明を実施するための最良の形態】
【００２１】
以下、本発明の実施の形態を図面を参照して詳細に説明する。
図１は、実施の形態に係るデジタルスチルカメラの全体構成を示すブロック図である。
図１に示すデジタルスチルカメラは、光学ブロック１１、アナログフロントエンド（ＡＦＥ）処理回路１２、カメラ信号処理回路１３、エンコーダ／デコーダ１４、システム制御部１５、入力Ｉ／Ｆ（インタフェース）１６、グラフィックＩ／Ｆ１７、ディスプレイ１７ａ、およびＲ／Ｗ（リーダ／ライタ）１８を具備する。また、システム制御部１５にはさらに、フォーカス検波器１９が接続されている。
【００２２】
光学ブロック１１は、複数枚のレンズとその移動機構を含むレンズ機構部１１１、アイリスやシャッタ、およびそれらの駆動機構を含む露光機構部１１２、固体撮像素子の一つとしてのＣＣＤ（Charge Coupled Device）１１３を具備する。また、レンズ機構部１１１、露光機構部１１２およびＣＣＤ１１３をそれぞれ駆動するためのレンズドライバ１１４、露光制御ドライバ１１５およびタイミングジェネレータ（ＴＧ）１１６が設けられている。
【００２３】
この光学ブロック１１では、レンズ機構部１１１および露光機構部１１２を含む光学系を通過した被写体からの反射光がＣＣＤ１１３により受光されて光電変換される。なお、固体撮像素子としてはＣＣＤの他に、例えばＣＭＯＳ（Complementary Metal Oxide Semiconductor）イメージセンサなどが用いられてもよい。
【００２４】
レンズドライバ１１４および露光制御ドライバ１１５は、システム制御部１５の制御の下で、レンズ機構部１１１および露光機構部１１２の動作をそれぞれ制御する。ＴＧ１１６は、システム制御部１５の制御の下で、ＣＣＤ１１３に対してタイミング信号を供給し、その駆動タイミングを制御する。また、このタイミング信号はＡＦＥ処理回路１２に対しても供給される。
【００２５】
ＡＦＥ処理回路１２は、ＣＣＤ１１３から出力されたアナログ画像信号に対して、ＣＤＳ（Correlated Double Sampling）処理によりＳ／Ｎ（Signal／Noise）比を良好に保つようにサンプルホールドを行い、さらにＡＧＣ（Auto Gain Control）処理により利得を制御し、Ａ／Ｄ変換を行ってデジタル画像信号を出力する。なお、ＡＦＥ処理回路１２は、ＴＧ１１６からのタイミング信号に従って動作し、またＡＧＣ処理のゲインなどはシステム制御部１５から与えられる。
【００２６】
カメラ信号処理回路１３は、システム制御部１５の制御の下で、ＡＦＥ処理回路１２からの画像信号に対して、ホワイトバランス調整処理、色補正処理、ＡＥ処理などのカメラ信号処理を施す。
【００２７】
エンコーダ／デコーダ１４は、カメラ信号処理回路１３からの画像信号に対して、ＪＰＥＧ（Joint Photographic Coding Experts Group）方式などの所定の静止画像データフォーマットで圧縮符号化処理を行う。また、システム制御部１５から供給された静止画像の符号化データを伸張復号化処理する。
【００２８】
システム制御部１５は、例えば、ＣＰＵ、ＲＯＭ、ＲＡＭなどから構成されるマイクロコントローラであり、入力Ｉ／Ｆ１６からの制御信号に応じて、ＲＯＭなどに記憶されたプログラムを実行することにより、デジタルスチルカメラの各部を統括的に制御する。また、本実施の形態では特に、フォーカス検波器１９からのフォーカス評価値に基づいてレンズドライバ１１４に制御信号を与え、レンズ機構部１１１内のフォーカスレンズを移動させるＡＦ処理を実行する。
【００２９】
入力Ｉ／Ｆ１６は、例えばシャッタレリーズボタン１６ａなどの各種操作キーやレバー、ダイヤルなどにより構成され、ユーザによる入力操作に応じた制御信号をシステム制御部１５に出力する。本実施の形態では特に、シャッタレリーズボタン１６ａは、半押し状態および全押し状態を個別にシステム制御部１５に対して通知するようにされている。
【００３０】
グラフィックＩ／Ｆ１７は、システム制御部１５から供給された信号から、ディスプレイ１７ａに表示させるための画像信号を生成して、この信号をディスプレイ１７ａに供給し、画像を表示させる。ディスプレイ１７ａは、例えばＬＣＤ（Liquid Crystal Display）などからなり、撮像中のカメラスルー画像やメモリカード１８ａに記録されたデータに基づく再生画像などを表示する。
【００３１】
Ｒ／Ｗ１８には、撮像により生成された画像データなどを記録する記録媒体として、可搬型のフラッシュメモリからなるメモリカード１８ａが着脱可能に接続される。Ｒ／Ｗ１８は、システム制御部１５から供給されたデータをメモリカード１８ａに書き込み、また、メモリカード１８ａから読み出したデータをシステム制御部１５に出力する。なお、記録媒体としては、他に、例えば書き込み可能な光ディスクやＨＤＤ（ハードディスクドライブ）などが用いられてもよい。
【００３２】
フォーカス検波器１９は、ＡＦＥ処理回路１２からの出力画像信号を基に、ＡＦ処理のためのフォーカス評価値を算出してシステム制御部１５に供給する。このフォーカス検波器１９は、入力信号のうちの主に高周波成分を検出するハイパスフィルタ（ＨＰＦ）あるいはバンドパスフィルタ（ＢＰＦ）などと、検出された高周波成分を画面単位で積算してフォーカス評価値とするための積分回路を具備する。
【００３３】
ここで、上記のデジタルスチルカメラにおける撮像時の基本的な動作について説明する。まず、静止画像の撮像時の動作について説明する。
静止画像の撮像前には、ＣＣＤ１１３によって受光されて光電変換された信号が、順次ＡＦＥ処理回路１２に供給される。ＡＦＥ処理回路１２は、入力信号に対してＣＤＳ処理、ＡＧＣ処理を施し、さらにデジタル信号に変換する。カメラ信号処理回路１３は、ＡＦＥ処理回路１２から供給されたデジタル画像信号を画質補正処理し、カメラスルー画像の信号として、システム制御部１５を介してグラフィックＩ／Ｆ１７に供給する。これにより、カメラスルー画像がディスプレイ１７ａに表示され、ユーザはディスプレイ１７ａを見て画角合わせを行うことが可能となる。
【００３４】
この状態で、入力Ｉ／Ｆ１６のシャッタレリーズボタン１６ａが押下されると、システム制御部１５は、露光制御ドライバ１１５やＴＧ１１６に制御信号を出力してシャッタを動作させる。これによりＣＣＤ１１３からは、１フレーム分の画像信号が出力される。なお、このとき、システム制御部１５は、フォーカス検波器１９からのフォーカス評価値や、カメラ信号処理回路１３におけるＡＥ処理などの結果に応じて、レンズドライバ１１４、露光制御ドライバ１１５およびＴＧ１１６に対して制御信号を出力し、これにより合焦状態や露光時間、露光量が適切になるように制御される。
【００３５】
カメラ信号処理回路１３は、ＣＣＤ１１３からＡＦＥ処理回路１２を介して供給された１フレーム分の画像信号に画質補正処理を施し、処理後の画像信号をエンコーダ／デコーダ１４に供給する。エンコーダ／デコーダ１４は、入力された画像信号を圧縮符号化し、生成した符号化データを、システム制御部１５を介してＲ／Ｗ１８に供給する。これにより、撮像された静止画像のデータファイルがメモリカード１８ａに記憶される。
【００３６】
一方、メモリカード１８ａに記憶された静止画像ファイルを再生する場合には、システム制御部１５は、入力Ｉ／Ｆ１６からの操作入力に応じて、選択された静止画像ファイルをメモリカード１８ａからＲ／Ｗ１８を介して読み込み、エンコーダ／デコーダ１４に供給して伸張復号化処理を実行させる。復号化された画像信号はシステム制御部１５を介してグラフィックＩ／Ｆ１７に供給され、これによりディスプレイ１７ａに静止画像が再生表示される。
【００３７】
ところで、このデジタルスチルカメラは、上述したＡＥ処理やＡＦ処理、ＡＷＢ処理など、撮像条件の最適制御値を自動的に判別してその値を適用した撮像画像を取り込む自動調整機能と、撮像条件の制御値を変化させた複数の撮像画像を連続的に取り込むオートブラケット機能とを備えている。これらの各機能を備えた従来のデジタルスチルカメラでは、動作モードを切り替えることで各機能を切り替えて利用するようにしていた。これに対して、本実施の形態では、以下で説明するように、シャッタレリーズボタン１６ａの半押しおよび全押しのタイミングに応じて、自動調整機能の作動中でもオートブラケット機能を即座に作動させることが可能な「自動切り替えモード」を設け、この動作モードにより、ユーザの操作性を高めつつ、ユーザの意図に沿った高画質の画像をより高い確率で撮像することが可能なようにする。
【００３８】
図２は、自動切り替えモードにおける入力操作に応じたカメラ側の動作の概要を示す図である。
図２では、シャッタレリーズボタン１６ａを用いた典型的な３つのパターンの入力操作を想定して、そのときのデジタルビデオカメラ内の動作について説明した図である。パターン１および２に示すように、シャッタレリーズボタン１６ａの半押しが開始されると（タイミングＴ１１）、ＡＥ処理やＡＦ処理などの自動調整処理が開始される。また、そのまま半押し状態が継続している間は、自動調整処理が続行される。
【００３９】
例えばＡＥ処理やＡＷＢ処理などでは、１フレーム分（あるいは１フィールド分）の撮像画像を取り込み、カメラ信号処理回路１３やシステム制御部１５の処理により、取り込んだ撮像画像の信号成分を解析して、露光機構部１１２のアイリス開度や、光学シャッタのシャッタ速度あるいはＣＣＤ１１３による露光時間、ＡＦＥ処理回路１２のＡＧＣによるゲイン量、カメラ信号処理回路１３における信号成分の補正量などの最適制御値を算出する。また、ストロボ発光量の調整処理では、ストロボの予備発光を行って取り込んだ撮像画像などを基に同様な最適制御値を算出する。さらに、ＡＦ処理では、後述するように、フォーカスレンズの位置を段階的に変化させて、その都度撮像画像を取り込んでフォーカス検波器１９により検波し、最適なレンズ位置を判別する。このように、自動調整処理にはある程度の時間が必要であり、図２ではタイミングＴ１１〜Ｔ１３までがその時間に相当する。
【００４０】
ここで、パターン１のように、半押し状態となってから、自動調整処理により最適制御値を算出するのに十分な時間が経過した後に、シャッタレリーズボタン１６ａが全押しされた場合には（タイミングＴ１４）、その最適制御値を適用して撮像を行い、撮像画像を取り込んでメモリカード１８ａに記録する。例えば、最適制御値が算出されたときには、算出処理が完了したことを表示や音声出力などでユーザに通知してもよく、この場合にはユーザは、最適制御値が算出されたことを確認してからシャッタレリーズボタン１６ａを全押しすることができるので、自動調整機能を作動させた撮像動作を明示的に実行させることができる。
【００４１】
また、上記以外の条件でシャッタレリーズボタン１６ａを全押しした場合の動作が、パターン２および３となる。パターン２では、タイミングＴ１１を起点に半押し状態とした後、自動調整機能によって最適制御値が算出されるより前に、シャッタレリーズボタン１６ａが全押しされている（タイミングＴ１２）。すると、デジタルスチルカメラは、自動調整処理を中断して、オートブラケット機能を作動させ、撮像条件の制御値を順次変化させながら、その都度撮像した画像をメモリカード１８ａに記録していく。
【００４２】
また、パターン３では、タイミングＴ１１において、シャッタレリーズボタン１６ａを半押しすることなく、いきなり全押しした場合を示しており、この場合には即座にオートブラケット機能を作動させて、撮像条件を変えた複数の撮像画像をメモリカード１８ａに記録していくようにする。
【００４３】
以上のパターン２および３の動作によれば、自動調整機能により意図通りの撮像画像が得られる可能性が低いとユーザが判断した場合には、従来のように動作モードを切り替えるための入力操作を行うことなく、シャッタレリーズボタン１６ａを全押しするだけで即座にオートブラケット撮影を実行させることができる。このため、ユーザは積極的にオートブラケット機能を利用して、意図に沿った適切な画質の撮像画像をより高い確率で得ることができるようになり、撮影機会を逃すこともなくなる。また、必要なときだけオートブラケット機能を作動させるので、記録に必要となる記録媒体の容量も抑制される。
【００４４】
次に、このような自動切り替えモードを用いた撮像動作について具体的に説明する。以下の説明では例として、オートブラケット時に変化させる調整値としてフォーカスレンズ位置の制御値を適用した、いわゆるフォーカスブラケットを行うものとする。
【００４５】
まず、ＡＦ処理時の基本的な動作について説明する。図３は、ＡＦ処理時に検出されるフォーカス評価値について説明するためのグラフである。
例えばシャッタレリーズボタン１６ａが半押しされることなどに応じてＡＦ処理が実行されると、システム制御部１５の制御により、レンズ機構部１１１のフォーカスレンズが複数の位置に移動されてその位置ごとに撮像画像が取り込まれ、フォーカス検波器１９に入力される。フォーカス検波器１９では、各画像からフォーカス評価値を算出して、システム制御部１５に出力する。
【００４６】
図３の例では、フォーカスレンズのとり得る位置を、ワイド端からテレ端までの間でＦＬｐｏｓ１〜ＦＬｐｏｓ８の８段階に分割することで、合焦位置の十分な検出精度が得られるものとしている。そして、各段階においてフォーカス検波器１９で算出されたフォーカス評価値の例をグラフにより示しており、この例ではＦＬｐｏｓ４におけるフォーカス評価値が最も高くなっている。システム制御部１５は、これらのフォーカス評価値からＦＬｐｏｓ４が合焦位置であると判断して、その位置にフォーカスレンズを移動させ、あらためて画像を撮像させてメモリカード１８ａに記録させる。これにより、ピントのずれのない画像が自動的に記録される。
【００４７】
なお、ＡＦ処理時には、この例のようにワイド端からテレ端までの全領域についてフォーカス評価値が算出されなくてもよく、例えば直前のＡＦ処理により求められたフォーカスレンズ位置を中心として一部の領域でのみ、フォーカス評価値を算出するようにしてもよい。
【００４８】
また、フォーカスブラケットの実行時には、シャッタレリーズボタン１６ａが押下（全押し）されると、上記のＦＬｐｏｓ１〜ＦＬｐｏｓ８の全段階における撮像画像を、すべてメモリカード１８ａに記録する。これにより、ユーザは後からメモリカード１８ａに記録されたこれらの画像を表示あるいは印刷するなどして確認し、自分の意図に沿った画像を選択することができる。あるいは、シャッタレリーズボタン１６ａの押下後、全段階における撮像画像を装置内の図示しないバッファメモリに一旦記録し、それらの画像をディスプレイ１７ａに表示してユーザに確認させ、ユーザの操作により必要な画像のみをメモリカード１８ａに記録させるようにしてもよい。
【００４９】
そして、本実施の形態では、以下で説明するように、自動切り替えモードにより、ＡＦ機能とフォーカスブラケット機能とをシャッタレリーズボタンの半押しおよび全押しのタイミングに応じて切り替えることが可能なようにする。
【００５０】
図４は、フォーカスブラケット機能を動作させないように制御する場合の動作の概要を説明するためのタイミングチャートである。
図４において、タイミングＴ２１において、シャッタレリーズボタン１６ａが半押しされ、その状態が継続されると、システム制御部１５は、ＦＬｐｏｓ１から順にフォーカスレンズを移動させて、撮像画像をその都度取り込んでフォーカス検波器１９に供給し、フォーカス評価値を取得する。このような動作によりＦＬｐｏｓ１〜ＦＬｐｏｓ８のすべての位置における検波が終了すると、システム制御部１５はその中からフォーカス評価値の最も高い位置を合焦位置と判別して、フォーカスレンズをその位置に移動させる。これとともに、合焦位置の検出動作が完了したことを、例えばディスプレイ１７ａ上にアイコンで表示したり、何らかの音を発生させることなどによりユーザに通知する（タイミングＴ２２）。
【００５１】
その後、シャッタレリーズボタン１６ａの半押し状態が解除されることなく、タイミングＴ２３においてユーザが全押しした場合には、システム制御部１５は、フォーカスレンズを合焦位置（本実施の形態ではＦＬｐｏｓ４）に移動させたときの撮像画像を、カメラ信号処理回路１３やエンコーダ／デコーダ１４での処理後に、Ｒ／Ｗ１８を通じてメモリカード１８ａに記録させる。
【００５２】
このように、ＡＦ処理により適切なレンズ位置を検出し得る時間以上に半押し状態が継続した後、全押しされた場合には、ＡＦ処理に基づく制御値を利用した撮像画像のみをメモリカード１８ａに記録する。ユーザは、検出が完了した上記のタイミングＴ２２において検出が完了したことを確認した後、シャッタ操作を行うことが可能である。
【００５３】
図５は、半押しが行われずに全押しされた場合の動作の概要を説明するためのタイミングチャートである。
図５の例では、タイミングＴ３１において、シャッタレリーズボタン１６ａがいきなり全押しされる。このとき、システム制御部１５の制御により、同様にＦＬｐｏｓ１〜ＦＬｐｏｓ８のすべてのレンズ位置での撮像画像が順次取り込まれるが、それらの画像をすべてメモリカード１８ａに記録するようにする。
【００５４】
図６は、ごく短時間だけ半押し状態とされた場合の動作の概要を説明するためのタイミングチャートである。
図６の例では、タイミングＴ４１において、シャッタレリーズボタン１６ａが半押しされてその状態が継続されると、システム制御部１５の制御により、レンズ位置をＦＬｐｏｓ１から順に移動させたときのフォーカス評価値が算出されて、システム制御部１５に供給される。ここで、すべてのレンズ位置での検波に基づく検出動作が完了していないタイミングＴ４２において、シャッタレリーズボタン１６ａが全押しされると、システム制御部１５は、再びレンズ位置をＦＬｐｏｓ１に戻し、すべてのレンズ位置（ＦＬｐｏｓ１〜ＦＬｐｏｓ８）についての撮像画像をメモリカード１８ａに記録させる。
【００５５】
このように、本実施の形態では、ＡＦ処理による最適なレンズ位置を検出してユーザに完了通知が行われるまでシャッタレリーズボタン１６ａの半押し状態が継続された後に、全押しされた場合には、検出されたレンズ位置での撮像画像のみをメモリカード１８ａに記録し、それ以外の条件では自動的にフォーカスブラケット機能を作動させて、すべてのレンズ位置での撮像画像をメモリカード１８ａに記録する。
【００５６】
図７は、自動切り替えモードで画像を撮像する際のシステム制御部１５の処理の流れを示すフローチャートである。
〔ステップＳ１０１〕シャッタレリーズボタン１６ａの押下状態を判定し、半押しされた場合はステップＳ１０２に進み、全押しされた場合はステップＳ１１３に進む。また、押下されていなかった場合は、その後一定時間間隔で押下状態の判定を繰り返す。
【００５７】
〔ステップＳ１０２〕レンズドライバ１１４に対する制御値を基に、現在のフォーカスレンズの位置を、ＦＬｐｏｓＤＲとして一時的に記憶する。
〔ステップＳ１０３〕レンズドライバ１１４を制御して、フォーカスレンズを初期位置（ＦＬｐｏｓ１）に移動させる。
【００５８】
〔ステップＳ１０４〕撮像画像をフォーカス検波器１９に取り込み、フォーカス評価値を算出させて、その値を取得する。
〔ステップＳ１０５〕シャッタレリーズボタン１６ａの押下状態を判定する。半押し状態が継続していた場合にはステップＳ１０６に進み、全押しされた場合にはステップＳ１１３に進む。また、元の位置に戻された場合には、ステップＳ１１４に進む。
【００５９】
〔ステップＳ１０６〕レンズドライバ１１４を制御して、フォーカスレンズを、規定された次の位置に移動させる。
〔ステップＳ１０７〕撮像画像をフォーカス検波器１９に取り込み、フォーカス評価値を算出させて、その値を取得する。
【００６０】
〔ステップＳ１０８〕フォーカスレンズを規定されたすべての位置に移動させて検波を行ったか否かを判定する。すべての位置についての検波を終了した場合はステップＳ１０９に進み、終了していない場合はステップＳ１０５に戻り、再びシャッタレリーズボタン１６ａの押下状態を判定する。
【００６１】
以上のステップＳ１０３〜Ｓ１０８では、シャッタレリーズボタン１６ａが半押しされ続けている間、ＦＬｐｏｓ１〜ＦＬｐｏｓ８のすべてにフォーカスレンズを移動させて、その都度画像を撮像し、フォーカス評価値を算出していく。
【００６２】
〔ステップＳ１０９〕すべてのフォーカスレンズ位置についてのフォーカス評価値から最大のものを選択し、対応するレンズ位置にフォーカスレンズを移動させる。
〔ステップＳ１１０〕検出が完了したことを示すアイコンをディスプレイ１７ａに表示させる。これにより、検出が完了したことがユーザに通知される。
【００６３】
〔ステップＳ１１１〕シャッタレリーズボタン１６ａの押下状態を判定する。半押し状態が継続していた場合には、その後一定時間ごとに押下状態の判定を繰り返し、全押しされた場合にはステップＳ１１２に進む。また、元の位置に戻された場合には、ステップＳ１１４に進む。
【００６４】
〔ステップＳ１１２〕ステップＳ１０９の処理によるフォーカスレンズの位置状態で画像を撮像し、カメラ信号処理およびエンコード処理を施した画像データをメモリカード１８ａに記録する。これにより、ＡＦ処理により判別された最適なフォーカスレンズ位置での撮像画像が記録される。
【００６５】
〔ステップＳ１１３〕ステップＳ１０１およびＳ１０５で、シャッタレリーズボタン１６ａが全押しされた場合には、フォーカスブラケット機能を作動させる。すなわち、フォーカスレンズを規定されたすべての位置（ＦＬｐｏｓ１〜ＦＬｐｏｓ８）に順次移動させ、その都度画像を撮像する。各撮像画像にはカメラ信号処理およびエンコード処理を施し、処理後の画像データをメモリカード１８ａに記録する。これにより、各フォーカスレンズ位置での撮像画像がすべて記録される。
【００６６】
〔ステップＳ１１４〕ステップＳ１０５およびＳ１１１で、シャッタレリーズボタン１６ａが半押し状態から元の位置に戻された場合には、ステップＳ１０２において記憶しておいた位置（ＦＬｐｏｓＤＲ）にフォーカスレンズを移動させる。すなわち、ＦＬｐｏｓ１〜ＦＬｐｏｓ８のすべてのレンズ位置でのフォーカス評価値の算出が完了する前に、シャッタレリーズボタン１６ａが戻された場合には、フォーカスレンズを半押し開始直前の位置に戻す。そして、ステップＳ１０１に戻り、その後のシャッタレリーズボタン１６ａの押下状態を監視する。
【００６７】
なお、上記の処理では、ＡＦ処理時とフォーカスブラケット機能の作動時では、ともに同じフォーカスレンズ位置での撮像を行うようにしたが、フォーカスブラケット時に記録する画像の枚数を少なくしてメモリ容量を節約するために、ステップＳ１１３では移動させるフォーカスレンズ位置の数を少なくして、フォーカスレンズの移動範囲を限定してもよい。
【００６８】
以上の実施の形態では、ＡＦ処理による最適なレンズ位置を検出してユーザに完了通知が行われるより前に全押しされた場合や、半押し状態を経ずに全押しされた場合には、自動的にフォーカスブラケット機能を作動させて、すべてのレンズ位置での撮像画像をメモリカード１８ａに記録する。これにより、従来と比較して、簡単な操作でよりユーザの意図に沿った画像を得ることが可能となる。
【００６９】
例えば、ＡＦ処理が完了する前にシャッタレリーズボタン１６ａが全押しされた場合には、撮影機会を逃さないようにユーザがシャッタ操作を急いだものと想定できるので、ＡＦ処理を中断して撮像画像を即座にメモリカード１８ａに記録するようにし、しかもフォーカスブラケット機能により複数のレンズ位置での撮像画像を記録して、最適なものを後にユーザが選択可能なようにする。これにより、撮影機会を逃すことなく、高画質の画像を撮像することができる。
【００７０】
また、ユーザは例えばＡＦ処理での撮像により適切な画像が得られる可能性が低いと判断したときなどに、即座に全押しすることで、動作モードを変える操作入力を行うことなく、明示的にフォーカスブラケット機能を作動させることが可能である。また、ＡＦ処理が完了してフォーカスレンズ位置が自動調整された状態（フォーカスロック状態）でも、シャッタレリーズボタン１６ａを戻して即座に全押しするだけでフォーカスブラケット機能を作動させることができる。従って、その操作性の高さからフォーカスブラケット機能をより積極的に利用することができ、ユーザの意図に沿ったより適切な画像を撮像することが可能となる。
【００７１】
≪別の実施の形態≫
ところで、上記の実施の形態では、フォーカスブラケット機能の作動時にはすべてのフォーカスレンズ位置での撮像画像をメモリカード１８ａに記録するようにしていた。しかし、一旦記録したこれらの撮像画像からフォーカス評価値を算出して、その値が最も高いものだけを残すことも可能である。
【００７２】
以下、この場合の動作について説明するが、シャッタレリーズボタン１６ａの半押し開始後、フォーカス評価値の最大値を算出してユーザに完了通知を行った後に全押しされた場合には、図４と同様の動作が実行される。
【００７３】
図８は、本実施の形態において、半押しが行われずに全押しされた場合の動作の概要を説明するためのタイミングチャートである。
図８の例では、タイミングＴ５１において、シャッタレリーズボタン１６ａが半押し状態を経ることなく、全押しされる。このとき、システム制御部１５の制御により、ＦＬｐｏｓ１〜ＦＬｐｏｓ８のすべてのレンズ位置での撮像画像が順次取り込まれ、それらの画像をすべて図示しないバッファメモリあるいはメモリカード１８ａに一時的に記録する。また、これらの各画像はフォーカス検波器１９にも供給してその都度フォーカス評価値を算出させる。そして、システム制御部１５は算出されたフォーカス評価値から最大値を抽出して、一時記録しておいた画像の中からこの最大値に対応する画像のみをメモリカード１８ａに記録して残す。
【００７４】
図９は、本実施の形態において、ごく短時間だけ半押し状態とされた場合の動作の概要を説明するためのタイミングチャートである。
図９の例では、タイミングＴ６１において、シャッタレリーズボタン１６ａが半押しされてその状態が継続されると、レンズ位置をＦＬｐｏｓ１から順に移動させたときのフォーカス評価値が算出される。ここで、すべてのレンズ位置での検波に基づく検出動作が完了していないタイミングＴ６２において、シャッタレリーズボタン１６ａが全押しされると、フォーカスレンズは再びＦＬｐｏｓ１の位置に戻され、すべてのレンズ位置（ＦＬｐｏｓ１〜ＦＬｐｏｓ８）について撮像を実行する。各撮像信号は図示しないバッファメモリあるいはメモリカード１８ａに一時的に記録するとともに、フォーカス検波器１９に供給してフォーカス評価値を算出させる。そして、フォーカス評価値が最大となった撮像画像のみを、メモリカード１８ａに記録して残すようにする。
【００７５】
なお、図８および図９の動作ではともに、シャッタレリーズボタン１６ａが全押しされた後には、ＦＬｐｏｓ１〜ＦＬｐｏｓ８での全撮像画像を一旦メモリカード１８ａに記録した後、そのメモリカード１８ａから各撮像画像を読み出してフォーカス検波器１９で検波し、フォーカス評価値の最大値を求めるようにしてもよい。あるいは、ＦＬｐｏｓ１〜ＦＬｐｏｓ８での各撮像画像のメモリカード１８ａまたはバッファメモリへの一時記録と、フォーカス検波器１９での検波とを並行して実行してもよい。
【００７６】
以上の実施の形態では、ＡＦ処理による最適なレンズ位置の検出完了前に全押しした場合や、半押しを経ずに全押しした場合にも、ＡＦ処理で最適と判断されたレンズ位置での撮像画像のみをメモリカード１８ａに残すことができる。また、半押し後のＡＦ処理では検出が完了するまでにある程度の時間を要するので、その間の撮像画像を残すことができないが、本実施の形態では、ＡＦ処理中にも全押しすればその時点から撮像画像の記録が開始されるので、撮影機会を逃すことがなくなる。これとともに、記録媒体への記録枚数を減少させて、その記録領域を有効に利用することができる。
【００７７】
さらに、上記の図８および図９において、全押し後の撮像画像のうち、フォーカス評価値の大きい順に数枚のものをメモリカード１８ａに残すようにしてもよい。これにより、ＡＦ処理で最適と検出されたレンズ位置が、実際の合焦位置とずれている場合などにも、その位置に近いレンズ位置での撮像画像を残してその後に最適なものを選択することができるので、より高画質な画像を得ることができる。
【００７８】
なお、以上の各実施の形態では、ＡＦ機能とオートブラケット機能とを切り替えるために、シャッタレリーズボタン１６ａの半押しおよび全押しのタイミングを利用したが、これ以外の方法も考えられる。例えば、シャッタレリーズボタン１６ａの半押し機能を独立した別のボタンに割り当てることで実現される。ここでは、この別のボタンを自動調整作動ボタンと呼称し、シャッタレリーズボタン１６ａに指を添えた状態で他の指で押下することが可能なように、この自動調整作動ボタンを配置する。
【００７９】
ここで、上記各実施の形態において半押し時、全押し時にシステム制御部１５が受信する制御信号をそれぞれ第１制御信号、第２制御信号とすると、第１制御信号を半押し動作の代わりに自動調整作動ボタンの押下により発生させることとする。これにより、ユーザは、自動調整作動ボタンを十分長い時間押下し続けた後にシャッタレリーズボタン１６ａを押下（全押し）すると、自動調整機能により最適と判別された画像を撮像することができる。また、自動調整作動ボタンを押下した後、短時間でシャッタレリーズボタン１６ａを押下した場合や、シャッタレリーズボタン１６ａのみを押下した場合には、オートブラケット機能を作動させることができる。
【００８０】
なお、上記の各実施の形態では、本発明をデジタルスチルカメラに適用した場合について説明したが、これ以外に例えば、静止画像の撮像機能を備えたデジタルビデオカメラなどの撮像装置、携帯電話機、ＰＤＡ（Personal Digital Assistant）などにも適用することができる。
【００８１】
また、外部の撮像素子が接続されて、その撮像素子による撮像動作を制御して、撮像画像を取り込むことが可能なパーソナルコンピュータなどの情報処理機器にも本発明を適用することが可能である。その場合、上記のデジタルスチルカメラが有すべき機能の処理内容を記述したプログラムが提供される。そして、そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。
【００８２】
プログラムを流通させる場合には、例えば、そのプログラムが記録された光ディスクなどの可搬型記録媒体が販売される。また、プログラムをサーバコンピュータの記憶装置に格納しておき、ネットワークを介して、サーバコンピュータから他のコンピュータにそのプログラムを転送することもできる。
【００８３】
プログラムを実行するコンピュータは、例えば、可搬型記録媒体に記録されたプログラムまたはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【図面の簡単な説明】
【００８４】
【図１】実施の形態に係るデジタルスチルカメラの全体構成を示すブロック図である。
【図２】自動切り替えモードにおける入力操作に応じたカメラ側の動作の概要を示す図である。
【図３】ＡＦ処理時に検出されるフォーカス評価値について説明するためのグラフである。
【図４】フォーカスブラケット機能を動作させないように制御する場合の動作の概要を説明するためのタイミングチャートである。
【図５】半押しが行われずに全押しされた場合の動作の概要を説明するためのタイミングチャートである。
【図６】ごく短時間だけ半押し状態とされた場合の動作の概要を説明するためのタイミングチャートである。
【図７】自動切り替えモードで画像を撮像する際のシステム制御部の処理の流れを示すフローチャートである。
【図８】別の実施の形態において、半押しが行われずに全押しされた場合の動作の概要を説明するためのタイミングチャートである。
【図９】別の実施の形態において、ごく短時間だけ半押し状態とされた場合の動作の概要を説明するためのタイミングチャートである。
【符号の説明】
【００８５】
１１……光学ブロック、１２……ＡＦＥ処理回路、１３……カメラ信号処理回路、１４……エンコーダ／デコーダ、１５……システム制御部、１６……入力Ｉ／Ｆ、１６ａ……シャッタレリーズボタン、１７……グラフィックＩ／Ｆ、１７ａ……ディスプレイ、１８……Ｒ／Ｗ、１８ａ……メモリカード、１９……フォーカス検波器、１１１……レンズ機構部、１１２……露光機構部、１１３……ＣＣＤ、１１４……レンズドライバ、１１５……露光制御ドライバ、１１６……ＴＧ
【図１】
2006050336.tif 000003
【図２】
2006050336.tif 000004
【図３】
2006050336.tif 000005
【図４】
2006050336.tif 000006
【図５】
2006050336.tif 000007
【図６】
2006050336.tif 000008
【図７】
2006050336.tif 000009
【図８】
2006050336.tif 000010
【図９】
2006050336.tif 000011